(57)【要約】【課題】  従来の敷物は大きく嵩張るため、家庭での洗濯、天日干しが困難となり、不衛生になりやすかった。そして、汚れたところだけの部分洗いをすると返って、にじみジミが出来るため、結局全部洗うことになり、しかも収納に場所を取っていた。【解決手段】この分割敷物カバーは、取り扱いしやすい大きさとし、クッション材３の出し入れ可能な分割敷物カバーとするため、クッション材３出し入れ口を作り、掛止布２００を袋状裏生地２四辺に縫合し、さらに表生地１と縫合した袋状敷物カバーと、連結具の掛合台１００を用いる。このときハトメと突起が掛合するように、ハトメと突起は同数、同間隔とし、敷物カバーを連結するためには、支台に突起を２列つけ、この掛合台１００を１サイズですべてを連結させるために、掛合台１００の両サイドを三角形にし、その頂角を９０度にする。さらに、ハトメと突起をより嵌合する為に、突起にぴったりする嵌合栓を提供する。  【選択図】  図２
0003136585.tif 000002
【実用新案登録請求の範囲】
【請求項１】
クッション材を入れるカバーと、当該カバーの裏面の四辺のいずれか又は全てに対して一部非縫合状態で設けられると共に、連結用の穴を有する掛止布と、掛止布の前記穴に挿入する突起を支台上に複数有する掛合台と、当該掛合台の突起に嵌合され、少なくともその一部が前記穴より大きい嵌合栓とを備えたことを特徴とする分割カバー。
【請求項２】
クッション材を入れるカバーと、当該カバーの裏面の四辺のいずれか又は全てに対して一部非縫合状態で設けられると共に、連結用の穴を有する掛止布と、掛止布の前記穴に挿入する突起を支台上に複数有すると共に当該突起の先端にフランジを設けた掛合台とを備えたことを特徴とする分割カバー。
【請求項３】
前記掛合台は、カバーが四角形状である場合にその一辺と略同じ長さの短冊形状であり、その両端が三角形であることを特徴とする請求項１又は２に記載の分割カバー。
【請求項４】
前記掛合台の裏面には、滑り止めが設けられていることを特徴とする請求項１〜３のいずれか一つに記載の分割カバー。
【請求項５】
カバーに設けた掛止布の前記穴に挿入する突起を支台上に複数有する掛合台と、当該掛合台の突起に嵌合され、少なくともその一部が前記穴より大きい嵌合栓とを備えたことを特徴とする分割カバー用連結具。
【請求項６】
カバーに設けた掛止布の前記穴に挿入する突起を支台上に複数有すると共に当該突起の先端にフランジを設けた掛合台からなることを特徴とする分割カバー用連結具。
【考案の詳細な説明】
【技術分野】
【０００１】
本考案は、分割および連結することができる分割カバーに関する。
【背景技術】
【０００２】
従来の敷物は、大きいため家庭での洗濯、天日干し、その他の扱いが困難なため不衛生になりやすかった。そのうえ、一部分の汚れのためにそこだけを洗おうとすると、濡れている部分と濡れていない部分の境がにじんで、かえってにじみジミになる為、結局敷物全部を洗うことになっていた。
【０００３】
このような問題に対し、従来の分割敷物として、座布団のようなクッションの四隅を連結するクッションと紐で結びつないでいくものが知られていた（特許文献１参照）。
【特許文献１】特開２００４−１６７１４８号公報
【考案の開示】
【考案が解決しようとする課題】
【０００４】
しかしながら、上記従来の分割敷物では、クッションの四隅を紐で結ぶようにしているため、分割および連結に手間がかかるという問題点があった。
【課題を解決するための手段】
【０００５】
この考案の分割カバーは、クッション材を入れるカバーと、当該カバーの裏面の四辺のいずれか又は全てに対して一部非縫合状態で設けられると共に、連結用の穴を有する掛止布と、掛止布の前記穴に挿入する突起を支台上に複数有する掛合台と、当該掛合台の突起に嵌合され、少なくともその一部が前記穴より大きい嵌合栓と、を備えたことを特徴とする。
【０００６】
また、この考案の分割カバーは、クッション材を入れるカバーと、当該カバーの裏面の四辺のいずれか又は全てに対して一部非縫合状態で設けられると共に、連結用の穴を有する掛止布と、掛止布の前記穴に挿入する突起を支台上に複数有すると共に当該突起の先端にフランジを設けた掛合台とを備えたことを特徴とする分割カバー。
【０００７】
また、この考案の分割カバーは、上記考案において、前記掛合台は、カバーが四角形状である場合にその一辺と略同じ長さの短冊形状であり、その両端が三角形であることを特徴とする。
【０００８】
また、この考案の分割カバーは、上記考案において、前記掛合台の裏面には、滑り止めが設けられていることを特徴とする。
【０００９】
また、この考案の分割カバー用連結具は、カバーに設けた掛止布の前記穴に挿入する突起を支台上に複数有する掛合台と、当該掛合台の突起に嵌合され、少なくともその一部が前記穴より大きい嵌合栓とを備えたことを特徴とする。
【００１０】
また、この考案の分割カバー用連結具は、カバーに設けた掛止布の前記穴に挿入する突起を支台上に複数有すると共に当該突起の先端にフランジを設けた掛合台からなることを特徴とする。
【考案の効果】
【００１１】
ひとつの穴にひとつの突起を入れて、この突起を掛止布の裏から嵌合栓に嵌合する。もうひとつの突起は、隣り合う別の分割敷物カバーに設けた掛止布の穴に入れ、その掛止布の裏から嵌合栓に嵌合する。これにより、２つ以上の分割敷物カバーを簡単に連結できるし、取り外しも容易である。
【考案を実施するための最良の形態】
【００１２】
（実施の形態１）
図１は、分割敷物カバーの結合状態を示す平面図である。図２は、図１のＡ−Ａ´断面図である。この分割敷物カバーは、表生地１とクッション材３とからなり、各分割敷物カバーは正方形をなしている。裏生地２は表生地１より、幅の狭い長方形をなしていて、裏生地２の二枚をずらし重なり合わせ、表生地１と同じ正方形に整える。正方形のサイズは限定せず、裏生地２をずらし重ね合わせたところは、袋状にするため縫合せず、クッション材３の出入り口となる。
【００１３】
この重ね合わせ幅は中に入れるクッション材の出し入れ、または、使用時には出し入れしないものであるから、重なり幅は限定しない。このときの、正方形に整えた裏生地２の重なりがある端を仮縫いしておく。分割敷物カバー裏生地２を袋状にしたことにより、クッション材３の出し入れが簡単であるが、クッション材の出し入れ口に、ファスナー、面ファスナー、ボタン、紐止め、その他クッション材がカバーから出ない手段であれば、カバーの閉じ方はどれも可能で、座布団、不要毛布、古敷物、その他のクッション材３など入れて使用する事が可能な為、中に入れるクッション材３は限定せず、再利用することができる。
【００１４】
また、その他クッション材３の中に保冷材、保温材等を入れることも出来、これらをクッション材３中に使用する際には、保冷保温材に耐えうる素材のカバー生地を使用することによって温暖化防止にも貢献でき環境にやさしい敷物になることが可能となる。分割敷物カバー生地を無地だけにするのでなく、文字、柄、絵などを組み合わせること可能である。
【００１５】
図３は、掛止布２００を示す平面図である。図４は、図３のＢ−Ｂ´断面図である。掛止布２００は、付属生地９に、ハトメ８（穴）を一列に数個、間隔をあけて取り付けたものであり、一枚となった裏生地２の四辺に縫合するのだが、掛止布２００の裏生地２の端側は縫合せず、あとの内側三辺を縫合する。
【００１６】
ここで、上記表生地１と、掛止布２００つき裏生地２を、中表に合わせ、その縁四辺を縫合し、袋状敷物カバーaをつくる。縫合後、裏返し状態の袋状敷物カバーを、裏生地２のクッション材３出し入れ口から手を入れ、生地をつかみ引き出して表にし、型を整える。これらの、表生地１、裏生地２、付属生地９の素材は同じであってもいいし、裏生地２と付属生地９が同じで、表生地１が違っている、表生地１、裏生地２、付属生地９がそれぞれ異なる生地など、それぞれの生地の組み合わせは、限ることなく組み合わせられる。
【００１７】
また、表生地１、裏生地２、掛止布２００の素材は、繊維の種類、織り方、色、絵、加工の仕方など特定に限ることなく、さらに、裏生地２、掛止布２００の裏に滑り止めを付けることも可能である。
【００１８】
掛止布２００に付けられているハトメ８は、ハトメ８の大きさ、素材も限定されるものでなく、ハトメ８以外にも、その他ボタンホールなどの穴縁止めも可能であり、ハトメ８などの穴の型も丸に限らず、穴の型は限定するものではない。
【００１９】
図５は、掛止布２００に掛合させる為の掛合台を示す平面図である。図６は、Ｃ−Ｃ´断面図である。この掛合台１００は、支台４に突起５を二列付けた構成であり、突起５は掛止布２００についているハトメ８の数、間隔、穴の型は同じにするため、突起５の数、ハトメ８の数は同数であるが、その間隔、取り付ける数は限定しない。突起５の型、突起５の高さは限定されるものでなく、大きさも限定するものではないが、ハトメ８と合うものとする。
【００２０】
更に、掛合台１００は、短冊形状であり、その長さは敷物カバー辺と同じか、または、洗濯時の生地の伸縮率を考え、掛合できれば敷物カバー辺以内でも可能であり、掛合台１００の幅は隣接している敷物カバーについている、一列のハトメ８が掛合台１００についている突起５に安易に結合できる幅とし、隣接される敷物がそれぞれのハトメ８に掛合した際、結合された敷物の間に、隙間を作らず、掛合台１００の両端を三角形とし、掛合台１００の左右の頂角を対角線で結び、その対角を４５度とすることにより、複数結合時の敷物カバー角で掛合台１００の重なりを無くし、１サイズですべて連結させ、どこに使用してもサイズ間違いすることのない、連結具材であることが特徴である。
【００２１】
掛合台１００の厚みは敷物の厚みに差し障りのない厚みとするが、厚みサイズは限定せず、二列突起の両サイドの支台幅は限定しない。本考案は軟式プラスチックであるが、ゴムまたは、掛合台１００の素材は限定するものではなく、掛合台１００が作製できる素材であれば可能であり、掛合台の裏にゴムや凹凸面等からなる滑り止めを付けることも可能である。
【００２２】
図７は、嵌合栓３００の平面図である。図８は，図７のＤ−Ｄ´断面図である。図９は、分割敷物カバーの掛合台１００、掛止布２００、嵌合栓３００が嵌合される形態の使用詳細図の断面図である。分割敷物カバーを掛止布２００と、掛合台１００を掛止させた際、さらに突起５に嵌合栓３００を嵌合させ、敷物カバーの結合をより強く、ずれにくいものとする。嵌合栓３００を突起５の数全て、もしくは嵌合する数は、突起５とハトメ８の数と同数とし、限ることはない。嵌合栓３００は、突起５に、ぴったりはまり、着脱しやすいものとする為、サイズ、色、型、素材は限定するものではない。本考案では、嵌合栓３００を単体で使用しているが、掛合台１００に連結されたもの、嵌合栓３００同士が連結しているもの、つながりかた、嵌合の仕方は限定されるものではない。なお、この嵌合栓３００のスリーブ７は前記ハトメ８より小径で、フランジ６は大径である。このため、嵌合栓３００を突起５に嵌めたとき、突起５がハトメ８から抜けることなく、その結果、掛止布２００が確実に連結される。
【００２３】
以上、この考案の分割敷物カバーによれば、掛合台１００、掛止布２００、嵌合栓３００を用いて連結するので、簡単に且つ早くカバー同士を連結できる。特に、ハトメ８に突起５を差し込んで、嵌合栓３００を装着するだけであるため、取り付けが簡易である。このため、分割敷物カバーを用いて広い面積の敷物を作った場合、一部が汚れても当該部分的を取り外して、簡単に洗濯できる。
【００２４】
（実施の形態２）
また、図１０に示すように、突起５の先端にフランジ２０１を設け、当該フランジ２０１をハトメ８に対してボタンのような感じで取り付けるようにしても良い。その際、ハトメ８は、ボタン穴のような形状とすればよく、上記のような嵌合栓３００は不要である。そのほかの構成は、実施の形態１と同じであるので、説明を省略する。
【図面の簡単な説明】
【００２５】
【図１】分割敷物カバーの結合状態を示す平面図である。
【図２】図１のＡ−Ａ´断面図である。
【図３】掛止布を示す平面図である。
【図４】図３のＢ−Ｂ´断面図である。
【図５】掛止布に掛合させる為の掛合台を示す平面図である。
【図６】Ｃ−Ｃ´断面図である。
【図７】嵌合栓の平面図である。
【図８】図７のＤ−Ｄ´断面図である。
【図９】分割敷物カバーの掛合台、掛止布、嵌合栓が嵌合される形態の使用詳細図の断面図である。
【図１０】この発明の実施の形態２に係る掛合台を示す断面図である。
【符号の説明】
【００２６】
１００  掛合台
２００  掛止布
２０１  フランジ
３００  嵌合栓
１  表生地
２  裏生地
３  クッション材
４  支台
５  突起
６  フランジ
７  スリーブ
８  ハトメ
９  付属生地
【図１】
0003136585.tif 000003
【図２】
0003136585.tif 000004
【図３】
0003136585.tif 000005
【図４】
0003136585.tif 000006
【図５】
0003136585.tif 000007
【図６】
0003136585.tif 000008
【図７】
0003136585.tif 000009
【図８】
0003136585.tif 000010
【図９】
0003136585.tif 000011
【図１０】
0003136585.tif 000012